(57)【特許請求の範囲】
【請求項１】
（ａ）光ディスクからディスク種類を判別するための所定の第１高周波信号レベルを検出して所定の基準値を設定する段階と、
（ｂ）前記光ディスク種類によって異なって生じる所定の第２高周波信号レベルを検出する段階と、
（ｃ）前記基準値と前記第２高周波信号レベルとを比較して単層または２層ディスクを判断する段階とを含み、
前記(ａ)段階の基準値は、
最初に検出された前記第１高周波信号と光ディスクの媒質によって異ならせて設定された所定の設定比率を演算して設定され、
前記(ｃ)段階は、
前記基準値が前記第２高周波信号レベルより大きければ単層ディスクと判断し、前記基準値が前記第２高周波信号レベルと等しいか、または、前記第２高周波信号レベルより小さければ２層のディスクと判断する
光ディスクの判別方法。
【発明の詳細な説明】
【０００１】
【発明の属する技術分野】
本発明はディスク判別方法に係り、特に光ディスクから反射される高周波信号とディスク媒質によって異ならせて設定した基準値とを比較して単層ディスクまたは複数層ディスクを判別する光ディスクの判別方法に関する。
【０００２】
【従来の技術】
一般に、CD、DVD-S、DVD-Dのような光記録媒体は、数インチの直径と１．２ｍｍの薄型の厚さを有するが、既存の２メガバイト内の容量を有する磁気記録媒体のフロッピー（登録商標）ディスクに比べてその容量が数百倍に達する数百メガバイトのデータ貯蔵能力を有し、データ記録層として光が反射する反射面を有し、この反射面に窪んだピットの組み合わせよりなる音響、文字、グラフィックなどの情報を貯蔵する貯蔵媒体であって、このような大容量貯蔵能力を有するコンパクトディスクの開発と共に超高密度で貯蔵されたデータを読出しエラーなしに高精度かつ高速で読出すための光ディスク再生装置の開発が進行しつつある。
【０００３】
また、このような光ディスク再生装置は、多様な種類の光ディスクを混用して再生可能な再生装置として発展してきて、これにより使用者は１つの光ディスク再生装置を通じて任意の光ディスクを併用して再生を行うことが可能になった。
【０００４】
通常、光ディスクはCDとDVDとに区分され、またDVDは、DVD-SとDVD-Dとに区分される。ここで、CDは音声情報専用と動映像情報及び音声情報が混用された製品とに区分され、DVDは１つのトラックに１つの情報のみが単層に記録されたDVD-Sと１つのトラックに２つの情報が２層に同時に記録されたDVD-Dとに区分される。
【０００５】
従来には単層または２層ディスクを判別するために既定の基準値とディスクから反射されてくる所定の第１及び第２高周波信号レベルを比較して基準値が第１及び第２高周波信号レベルより大きい場合、２層であると判断し、そうでない場合単層であると判断した。
【０００６】
しかし、ディスク再生時、動作するピックアップの感度偏差によって第１及び第２高周波信号レベルの反射率が低下され、正確なディスク判別に難点があり、これによって円滑な光ディスクの再生に問題点が生じた。
【０００７】
【発明が解決しようとする課題】
本発明がなそうとする技術的な課題は、前記問題点を解決するためのものであって、光ディスクで反射される高周波信号とディスク特性によって異ならせて設定した基準値を比較して単層ディスクまたは２層ディスクを判別する光ディスク判別方法を提供するところにある。
【０００８】
【課題を解決するための手段】
本発明がなそうとする技術的な課題を解決するための光ディスク判別方法は、(ａ)光ディスクからディスク種類を判別するための所定の第１高周波信号レベルを検出して所定の基準値を設定する段階と、(ｂ)前記光ディスク種類によって異なって生じる所定の第２高周波信号レベルを検出する段階と、(ｃ)前記基準値と前記第２高周波信号レベルとを比較して単層または２層ディスクを判断する段階とを含む。
【０００９】
本発明において、前記(ａ)段階の基準値は、前記第１高周波信号と所定の設定比率とを演算して設定し、前記設定比率は、前記光ディスクの媒質によって異ならせて設定することを特徴とする。また、前記(ｃ)段階において、前記基準値が前記第２高周波信号レベルより大きければ単層ディスクと判断し、前記基準値が前記第２高周波信号レベルと等しいか、または、前記第２高周波信号レベルより小さければ複数層のディスクと判断することを特徴とする。
【００１０】
【発明の実施の形態】
以下、添付した図面に基づいて本発明を詳細に説明する。
【００１１】
図１は、光ディスク判別装置の構成を示すブロック図である。
図１に示された装置は、光ピックアップ１０、高周波増幅部１１、マイコン１２、メモリ１３、サーボ１４、アクチュエータドライバー１５より構成される。
【００１２】
図２は本発明に係る光ディスク判別方法の動作を示すフローチャートである。
図２に示されたフローチャートは光ディスクからディスク種類を判別するための第１高周波信号レベルを検出する段階(２０)、第１高周波信号レベルと設定比率とを演算して基準値を設定する段階(２１)、光ディスクの種類を判別するための第２高周波信号レベルを検出する段階(２２)、基準値と第２高周波信号レベルとを比較する段階(２３)、基準値が第２高周波信号レベルより大きいかを判断する段階(２４)、単層判断段階(２５)、２層判断段階(２６)より構成される。
【００１３】
次いで、図１及び図２を参照して本発明を詳細に説明する。
【００１４】
図１は、光ディスクを判別するための装置の概略的なブロック図であって、光ピックアップ１０は再生装置に積載された光ディスクに光を走査し、光ディスクの情報記録面に形成されたピットの有無によって相異なって検出される反射光量を検出して光ディスクに記録された情報を検出する。この際、光ピックアップ１０は多数個の光センサーを組み合わせて構成され、それぞれの光センサーにより検出された信号を合成することによって、情報を分析しうる。
【００１５】
高周波増幅部１１は光ピックアップ１０で検出された多数の信号を合成し、信号処理に適した大きさに増幅した後、合成及び増幅された高周波信号はマイコン１２に伝送する。ディスクの種類によって相異なる高周波増幅信号が出力される。
【００１６】
マイコン１２はメモリ１３に貯蔵された所定のプログラムによってシステムを全般的に制御し、高周波増幅部１１で出力された高周波信号を伝送されて光ディスクを判別し、それによって光ディスク再生装置のサーボ１４を制御する。
【００１７】
メモリ１３はマイコン１２が行うプログラムを貯蔵する。
【００１８】
サーボ１４はマイコン１２の制御によってサーボメカニズムの駆動状態を制御する。特にサーボ１４はマイコン１２から伝送された制御信号によって光ピックアップ１０により再生された再生信号のフォーカシング状態を制御するためのフォーカス調整信号を出力する。
【００１９】
アクチュエータドライバー１５はサーボ１４から出力されたフォーカス調整制御信号によって光ピックアップ１０の位置を制御して光ピックアップ１０と光ディスクとの離隔距離を調整する。
【００２０】
マイコン１２の光ディスク判別方法は次の通りである。ディスクの種類によって高周波増幅部１１は相異なる高周波信号を出力する。ディスクが単層である場合、１つのピーク値のみを有する高周波信号を出力し、ディスクが２層である場合、２つのピーク値を有する高周波信号を出力する。
【００２１】
光ディスクからディスク種類を判別するために高周波増幅部１１から入力される高周波信号のうち所定の第１高周波信号レベルを検出する(２０段階)。ディスクの種類に関係なく最初に検出される高周波信号からレベルを検出する。
【００２２】
検出された第１高周波信号レベルと設定比率とを演算して基準値を設定する(２１段階)。基準値は第１高周波信号レベルと所定の設定比率とを掛けて設定する。この際、設定比率はディスクの特性、例えば、ディスク媒質により反射されるスペシフィケーションによって異ならせて設定する。本発明では一実施形態として設定比率を１/４であると仮定する。
【００２３】
光ディスクからディスクの種類を判別するために高周波増幅部１１から入力される高周波信号のうち所定の第２高周波信号レベルを検出する(２２段階)。ディスクの種類に関係なく２番目に検出される高周波信号からレベルを検出する。ディスクの種類が２層であれば大きな高周波レベルが検出され、ディスクの種類が単層であれば高周波レベルが検出されないか、あるいは検出されてもその信号はノイズに過ぎない。
【００２４】
前記設定された基準値と第２高周波信号レベルとを比較する(２３段階)。
【００２５】
設定された基準値が第２高周波信号レベルより大きいかを判断して設定された基準値が第２高周波信号レベルより大きければディスクを単層と判断する(２４、２５段階)。例えば、第１高周波信号レベルが１００、第２高周波信号レベルが１０の場合、基準値は２５(１００×１/４)となり、基準値が第２高周波信号レベルより大きいためにディスクを単層と判断する。
【００２６】
設定された基準値が第２高周波信号レベルより大きいかを判断して設定された基準値が第２高周波信号レベルと等しいか、または、第２高周波信号レベルより小さければディスクを２層と判断する(２４、２６段階)。例えば、第１高周波信号レベルが１００、第２高周波信号レベルが５０の場合、基準値は２５(１００×１/４)となり、基準値が第２高周波信号レベルより小さいためにディスクを２層と判断する。
【００２７】
本発明は前述した実施形態に限定されず、本発明の思想内で当業者による変形が可能なのはもちろんである。
【００２８】
【発明の効果】
前述したように本発明によれば、光ディスクから反射される高周波信号とディスク媒質とによって異ならせて設定した基準値とを比較してディスクを判別することによってピックアップの感度偏差に関係なく光ディスクを円滑に再生できる。
【図面の簡単な説明】
【図１】  光ディスク判別装置の構成を示すブロック図である。
【図２】  本発明に係る光ディスク判別方法の動作を示すフローチャートである。
【符号の説明】
１０  光ピックアップ
１１  高周波増幅部
１２  マイコン
１３  メモリ
１４  サーボ
１５  アクチュエータドライバー
【図１】
0004091336.tif 000002
【図２】
0004091336.tif 000003